(57)【要約】  【課題】  ビッグボーナスの発生中において、そのビッグボーナスの終了以降に遊技図柄が特定態様となる組合せで停止することを許可するか否かを抽選するようにして、遊技性等の向上を図れるスロットマシン機を提供する。  【解決手段】  複数の遊技図柄を可変表示する可変表示手段、遊技図柄が特定態様となる組合せで停止することを許可するか否かを抽選する抽選手段４２、遊技図柄が特定態様になった場合に複数ゲームに亙って通常のゲームよりもメダルを獲得し易いビッグボーナスを発生させる利益状態発生手段４６を備えたスロットマシン機において、ビッグボーナスの発生中において、そのビッグボーナスの終了以降に遊技図柄が前記特定態様となる組合せで停止することを許可するか否かを抽選する利益状態中抽選手段４７を設けた。【選択図】  図３
2004209281.tif 000002
【特許請求の範囲】
【請求項１】
複数の遊技図柄を可変表示する可変表示手段(3,4,5,9) と、遊技図柄が予め設定された特定態様となる組合せで停止することを許可するか否かを抽選する抽選手段(42)と、遊技図柄が特定態様になった場合に複数ゲームに亙って通常のゲームよりもメダルを獲得し易い遊技者に有利な利益状態としてのビッグボーナスを発生させる利益状態発生手段(46)とを備えたスロットマシン機において、
前記ビッグボーナスの発生中において、そのビッグボーナスの終了以降に遊技図柄が前記特定態様となる組合せで停止することを許可するか否かを抽選する利益状態中抽選手段(47)と、
前記利益状態中抽選手段(47)の抽選結果を遊技者に報知する利益状態中抽選結果報知手段(36,48) とを備え、
前記抽選手段(42)が前記特定態様となる組合せで停止することを許可する抽選確率よりも、前記利益状態中抽選手段(47)が前記特定態様となる組合せで停止することを許可する抽選確率を高く設定した、
ことを特徴とするスロットマシン機。
【請求項２】
複数の遊技図柄を可変表示する可変表示手段(3,4,5,9) と、遊技図柄が予め設定された特定態様となる組合せで停止することを許可するか否かを抽選する抽選手段(42)と、遊技図柄が特定態様になった場合に複数ゲームに亙って通常のゲームよりもメダルを獲得し易い遊技者に有利な利益状態としてのビッグボーナスを発生させる利益状態発生手段(46)とを備えたスロットマシン機において、
前記ビッグボーナスが発生した場合に、遊技図柄がメダルを獲得できる小役態様になり易い特別ゲームを最大で第１設定ゲーム数だけ実行可能になると共に、この特別ゲームの実行中に所定条件が成立することにより特別ゲームとは別のボーナスゲームを最大で第２設定ゲーム数だけ実行可能になるように構成され、
前記ビッグボーナス実行中における前記ボーナスゲーム実行中に作動して、そのビッグボーナスの終了以降に遊技図柄が前記特定態様となる組合せで停止することを許可するか否かを抽選する利益状態中抽選手段(47)を備えたことを特徴とするスロットマシン機。
【請求項３】
複数の遊技図柄を可変表示する可変表示手段(3,4,5,9) と、遊技図柄が予め設定された大当り態様、小当り態様となる組合せで停止することを許可するか否かを抽選する抽選手段(42)と、遊技図柄が大当り態様になった場合に複数ゲームに亙って通常のゲームよりもメダルを獲得し易いビッグボーナスを発生させ、遊技図柄が小当り態様になった場合に通常のゲームよりもメダルを獲得し易く且つビッグボーナスよりも得られる利益程度が低いレギュラーボーナスを発生させる利益状態発生手段(46)とを備えたスロットマシン機において、
前記ビッグボーナスとレギュラーボーナスのうちの少なくとも一方の発生中において、そのボーナスの終了以降に遊技図柄が大当り態様、小当り態様となる組合せで停止することを許可するか否かを抽選する利益状態中抽選手段(47)と、
前記利益状態中抽選手段(47)の抽選結果を、大当り態様に関するものと小当り態様に関するものとに分けて遊技者に報知する利益状態中抽選結果報知手段(36,48) と、
を備えことを特徴とするスロットマシン機。
【発明の詳細な説明】
【技術分野】
【０００１】
本発明はスロットマシン機に関し、特に、ビッグボーナスの発生中において、そのビッグボーナスの終了以降に遊技図柄が特定態様となる組合せで停止することを許可するか否かを抽選するようにしたものに関する。
【背景技術】
【０００２】
従来のスロットマシン機には、一般に、３組の回転リール、スタートレバー、３組の回転リールに対応する３つのストップボタンが設けられ、遊技者は、遊技媒体であるメダルを１〜３枚ベットし、スタートレバーを操作して３組の回転リールを回転させ、３つのストップボタンを順次操作して回転する３組の回転リールを停止させて遊技する（例えば、特許文献１参照）。
【０００３】
各回転リールの外周面には複数の遊技図柄（例えば、「７」、「ＢＡＲ」、「ベル」、「プラム」、「チェリー」、「リプレイ図柄」等）が印されており、３組の回転リールが回転してから停止したとき、スロットマシンの前面部に形成された停止領域に停止する回転リール上の遊技図柄の組合せが、大当り態様、小当り態様、小役態様、リプレイ態様、外れ態様等のうちの何れかになる。
【０００４】
前記停止領域には、ベットされたメダルの枚数に応じて有効化される複数本（例えば、５本）の入賞ラインが３組の回転リールに亙って設定され、有効化した入賞ライン上に、例えば、「７」が３つ揃うと大当り態様になってビッグボーナスが発生し、「ＢＡＲ」が３つ揃うと小当り態様になってレギュラーボーナスが発生し、「ベル」や「プラム」等が夫々３つ揃うと小役態様になり、「リプレイ図柄」が３つ揃うとリプレイ態様になり、それ以外は概ね外れ態様となる。大当り態様や小当り態様や小役態様等の入賞態様になった場合には、予め設定された枚数（例えば、１〜１５枚）のメダルが払出される。
【０００５】
特に、大当り態様になってビッグボーナスが発生すると、例えば、特別ゲームを最大３０ゲーム（第１設定ゲーム数に相当する）実行可能となり、その間に所定条件（例えば、遊技図柄がリプレイ態様になる）が充足されることにより、特別ゲーム以外に別途ボーナスを最大３回行うことができる。特別ゲームが３０ゲーム消化されるか、又は、ボーナスが３回消化されると、ビッグボーナスは終了する。尚、前記特別ゲームでは、通常、小役態様になり易い状態となる。
【０００６】
１回のボーナスでは、例えば、ボーナスゲームを最大１２ゲーム（第２設定ゲーム数に相当する）実行可能となり、各ボーナスゲームでは、通常のゲームでは入賞態様とならない態様（リプレイ態様等）が特別小役態様になる。ボーナスゲームが１２ゲーム消化されるか、又は、特別小役態様が成立したボーナスゲームが８ゲーム消化されると、ボーナスは終了する。一方、小当り態様になりレギュラーボーナスが発生すると、前記ビッグボーナス中の１回のボーナスと同様のボーナスゲームが実行可能となる。
【０００７】
さて、従来のスロットマシン機では、前述のように、各ゲームにおいて、メダルを１〜３枚ベットし、スタートレバーを操作して３組の回転リールを回転させるが、スタートレバーの操作タイミングで、遊技図柄が特定態様となる組合せで停止することを許可するか否かを抽選し、例えば1/300 の抽選確率で許可された場合にのみ、遊技者がストップボタンを操作して、遊技図柄が特定態様となるように３組の回転リールを停止させることが可能となる。
【特許文献１】特開平11-57121号公報
【発明の開示】
【発明が解決しようとする課題】
【０００８】
従来のスロットマシン機では、前記特定態様となる組合せで停止することを許可するか否かの抽選は、ビッグボーナスやレギュラーボーナスが発生していない通常ゲームに行われるのみであり、ビッグボーナスやレギュラーボーナスの発生中（ボーナスゲームを含む）においては行うようになっていない。それ故、遊技性等に乏しい面がある。
【０００９】
本発明の目的は、利益状態の発生中において、その利益状態の終了以降に遊技図柄が特定態様となる組合せで停止することを許可するか否かを抽選するようにして、遊技性等の向上を図れるスロットマシン機を提供することである。
【課題を解決するための手段】
【００１０】
請求項１のスロットマシン機は、複数の遊技図柄を可変表示する可変表示手段と、遊技図柄が予め設定された特定態様となる組合せで停止することを許可するか否かを抽選する抽選手段と、遊技図柄が特定態様になった場合に複数ゲームに亙って通常のゲームよりもメダルを獲得し易い遊技者に有利な利益状態としてのビッグボーナスを発生させる利益状態発生手段とを備えたスロットマシン機において、前記ビッグボーナスの発生中において、そのビッグボーナスの終了以降に遊技図柄が前記特定態様となる組合せで停止することを許可するか否かを抽選する利益状態中抽選手段と、前記利益状態中抽選手段の抽選結果を遊技者に報知する利益状態中抽選結果報知手段とを備え、前記抽選手段が前記特定態様となる組合せで停止することを許可する抽選確率よりも、前記利益状態中抽選手段が前記特定態様となる組合せで停止することを許可する抽選確率を高く設定したことを特徴とする。
【００１１】
可変表示手段により複数の遊技図柄が可変表示され、抽選手段により遊技図柄が予め設定された特定態様となる組合せで停止することを許可するか否かが抽選され、これが許可されて遊技図柄が特定態様になった場合に、利益状態発生手段が複数ゲームに亙って通常のゲームよりもメダルを獲得し易い遊技者に有利な利益状態としてのビッグボーナスを発生させる。このスロットマシン機では、ビッグボーナスの発生中において、そのビッグボーナスの終了以降に遊技図柄が特定態様となる組合せで停止することを許可するか否かが利益状態中抽選手段により抽選され、遊技性等の向上を図れるものとすることができる。
【００１２】
前記利益状態中抽選結果報知手段による報知により、利益状態中抽選手段により遊技図柄が前記特定態様となる組合せで停止することを許可した場合の抽選結果を遊技者に知らせることができる。また、前記抽選手段がボーナスゲーム中でないときに前記特定態様となる組合せで停止することを許可する抽選確率よりも、前記利益状態中抽選手段が前記特定態様となる組合せで停止することを許可する抽選確率を高く設定したため、遊技性の一層の向上を図ることができる。
【００１３】
請求項２のスロットマシン機は、複数の遊技図柄を可変表示する可変表示手段と、遊技図柄が予め設定された特定態様となる組合せで停止することを許可するか否かを抽選する抽選手段と、遊技図柄が特定態様になった場合に複数ゲームに亙って通常のゲームよりもメダルを獲得し易い遊技者に有利な利益状態としてのビッグボーナスを発生させる利益状態発生手段とを備えたスロットマシン機において、前記ビッグボーナスが発生した場合に、遊技図柄がメダルを獲得できる小役態様になり易い特別ゲームを最大で第１設定ゲーム数だけ実行可能になると共に、この特別ゲームの実行中に所定条件が成立することにより特別ゲームとは別のボーナスゲームを最大で第２設定ゲーム数だけ実行可能になるように構成され、前記ビッグボーナス実行中における前記ボーナスゲーム実行中に作動して、そのビッグボーナスの終了以降に遊技図柄が前記特定態様となる組合せで停止することを許可するか否かを抽選する利益状態中抽選手段を備えたことを特徴とする。
【００１４】
請求項３のスロットマシン機は、複数の遊技図柄を可変表示する可変表示手段と、遊技図柄が予め設定された大当り態様、小当り態様となる組合せで停止することを許可するか否かを抽選する抽選手段と、遊技図柄が大当り態様になった場合に複数ゲームに亙って通常のゲームよりもメダルを獲得し易いビッグボーナスを発生させ、遊技図柄が小当り態様になった場合に通常のゲームよりもメダルを獲得し易く且つビッグボーナスよりも得られる利益程度が低いレギュラーボーナスを発生させる利益状態発生手段とを備えたスロットマシン機において、前記ビッグボーナスとレギュラーボーナスのうちの少なくとも一方の発生中において、そのボーナスの終了以降に遊技図柄が大当り態様、小当り態様となる組合せで停止することを許可するか否かを抽選する利益状態中抽選手段と、前記利益状態中抽選手段の抽選結果を、大当り態様に関するものと小当り態様に関するものとに分けて遊技者に報知する利益状態中抽選結果報知手段とを備えことを特徴とする。
【発明の効果】
【００１５】
請求項１のスロットマシン機によれば、利益状態中抽選手段を設けたことにより、ボーナスゲームの発生中において、そのボーナスゲームの終了以降に遊技図柄が前記特定態様となる組合せで停止することを許可するか否かを抽選するので、遊技性等の向上を図ることができ、利益状態中抽選結果報知手段を設けたことにより、利益状態中抽選手段により遊技図柄が前記特定態様となる組合せで停止することを許可した場合の抽選結果を遊技者に報知して確実に知らせることができる。また、抽選手段が特定態様となる組合せで停止することを許可する抽選確率よりも前記ボーナスゲームの発生中に利益状態中抽選手段が特定態様となる組合せで停止することを許可する抽選確率を高く設定したため遊技性の一層の向上を図ることができる。
【００１６】
請求項２のスロットマシン機によれば、ビッグボーナスが発生した場合に、遊技図柄がメダルを獲得できる小役態様になり易い特別ゲームを最大で第１設定ゲーム数だけ実行可能になり、この特別ゲームの実行中に所定条件が成立することにより特別ゲームとは別のボーナスゲームを最大で第２設定ゲーム数だけ実行可能になる。そして、ビッグボーナス実行中におけるボーナスゲーム実行中に利益状態中抽選手段が作動して、そのビッグボーナスの終了以降に遊技図柄が前記特定態様となる組合せで停止することを許可するか否かを抽選するので、遊技性等の向上を図ることができる。
【００１７】
請求項３のスロットマシン機によれば、利益状態発生手段は、遊技図柄が大当り態様になった場合に複数ゲームに亙って通常のゲームよりもメダルを獲得し易いビッグボーナスを発生させ、遊技図柄が小当り態様になった場合に通常のゲームよりもメダルを獲得し易く且つビッグボーナスよりも得られる利益程度が低いレギュラーボーナスを発生させる。そして、利益状態中抽選手段を設けたことにより、ビッグボーナスとレギュラーボーナスのうちの少なくとも一方の発生中において、そのボーナスの終了以降に遊技図柄が大当り態様、小当り態様となる組合せで停止することを許可するか否かを抽選するので、遊技性等の向上を図ることができる。また、利益状態中抽選結果報知手段を設けたことにより、利益状態中抽選手段の抽選結果を、大当り態様に関するものと小当り態様に関するものとに分けて遊技者に報知して確実に知らせることができる。
【発明を実施するための最良の形態】
【００１８】
本実施形態のスロットマシン機は、ビッグボーナスの発生中において、そのビッグボーナスの終了以降に遊技図柄が前記特定態様となる組合せで停止することを許可するか否かを抽選する利益状態中抽選手段と、利益状態中抽選手段の抽選結果を遊技者に報知する利益状態中抽選結果報知手段とを備え、抽選手段が特定態様となる組合せで停止することを許可する抽選確率よりも、利益状態中抽選手段が特定態様となる組合せで停止することを許可する抽選確率を高く設定したものである。
【実施例】
【００１９】
以下、本発明の実施例について図面を参照しながら説明する。本実例は、遊技者が遊技媒体であるメダルを１〜３枚ベットし、スタートレバーを操作して３組の回転リールを回転させ、３つのストップボタンを順次操作して回転する３組の回転リールを停止させ、そのときの遊技図柄の組合せによって、メダルの払出しが得られる等の遊技結果が決まるスロットマシン機に、本発明を適用した場合の一例である。
【００２０】
図１〜図３に示すように、スロットマシン機１は本体ケース２を有し、その本体ケース２の内部に、第１〜第３回転リール３〜５と、第１〜第３回転リール３〜５を夫々回転駆動する複数の電動モータ６〜８を含むリール駆動手段９と、このリール駆動手段９を介して第１〜第３回転リール３〜５の夫々の回転／停止制御を行うリール制御手段４４を有する制御装置４０等が設けられている。
【００２１】
第１〜第３回転リール３〜５は左右に並べられ、これらの軸心部が左右方向向きの電動モータ６〜８の同心状の駆動軸６ａ〜８ａに夫々固着されている。各回転リール３〜５の外周面には、「７」、「３」、「ＢＡＲ」、「チェリー」、「ベル」、「プラム」、「リプレイ図柄」等々の複数種類の遊技図柄が、例えば２１個、周方向に所定間隔おきに印されている。尚、回転リール３〜５とリール駆動手段９等が複数の遊技図柄を可変表示する可変表示手段に相当する。
【００２２】
本体ケース２の中段やや上側の前面部分に、透明な外パネル１１ａと不透明な内パネル１１ｂからなる表示パネル１１が設けられ、内パネル１１ｂに第１〜第３回転リール３〜５に対応する３つの表示窓１２が左右に並べて設けられている。これら表示窓１２には第１〜第３回転リール３〜５の前部が接近対向し、各表示窓１２からは、その上段部と中段部と下段部に対応する回転リール３〜５の連続した３つの遊技図柄を停止させた状態で表示でき、３組の表示窓１２と回転リール３〜５の全体で３行３列計９つの遊技図柄を表示可能になっている。
【００２３】
図１に示すように、３つの表示窓１２の上段部同士、中段部同士、下段部同士を夫々水平に結ぶ３本の入賞ライン１４〜１６と、左側から右側へ３つの表示窓１２の上段中段下段部同士、左側から右側へ３つの表示窓１２の下段中段上段部同士を夫々斜めに結ぶ２本の入賞ライン１７，１８の計５本の入賞ライン１４〜１８が設定されている。尚、上記以外の入賞ラインの設定も可能である。
【００２４】
このスロットマシン機１では、１〜３枚のメダルをベットして１回の遊技を行うことができ、例えば、ベットされるメダル枚数が１枚の場合は１本の入賞ライン１５が有効化され、２枚の場合は３本の入賞ライン１４〜１６が有効化され、３枚の場合は５本全ての入賞ライン１４〜１８が有効化される。有効化した入賞ライン上に並ぶ回転リール３〜５の回転後の遊技図柄の組合せが、大当り態様、小当り態様、小役態様、リプレイ態様、外れ態様等のうちの何れかになる。
【００２５】
有効化した入賞ライン上に、「７」又は「３」が夫々３つ揃うと大当り態様になり、「ＢＡＲ」が３つ揃うと小当り態様になり、「ベル」や「プラム」等が夫々３つ揃うと小役態様になり、「リプレイ図柄」が３つ揃うとリプレイ態様になり、それ以外は概ね外れ態様となる。尚、本実施形態の場合、「７」又は「３」が夫々３つ揃う大当り態様が特定態様に相当し、そのうち、「７」が揃う特定態様が特別特定態様に、「３」が揃う特定態様が通常特定態様に相当する。即ち、特定態様は特別特定態様と通常特定態様を含んでいる。
【００２６】
大当り態様や小当り態様や小役態様等の入賞態様になった場合、その入賞態様に応じて予め設定された枚数（例えば、１〜１５枚）のメダルが払出し装置５５（図３参照）により払出される。特に、大当り態様になった場合には、遊技者に有利な利益状態となるビッグボーナス（ＢＢ）が発生し、小当り態様になった場合には、ビッグボーナスよりも程度が低いが遊技者に有利な利益状態となるレギュラーボーナス（ＲＢ）が発生し、夫々、その後所定の終了条件を満たすまで、多数のメダルを賞として取得可能となる。
【００２７】
図１、図２に示すように、本体ケース２の表示パネル１１の下側から前方に張出す中段フレーム２ａにメダル投入部１９とベットボタン２０が設けられ、表示パネル１１の左下隅部分に枚数表示手段２１が設けられている。このスロットマシン機１では、例えばメダルを５０枚までクレジットすることができ、そのクレジット枚数がセグメント型発光ダイオードディスプレイ（ＬＥＤ）からなる枚数表示手段２１に表示される。メダル投入部１９からメダルを投入するか、或いは、メダルのクレジットがある場合にはベットボタン２０を操作して、次の遊技を行うために１〜３枚のメダルをベットすることができる。
【００２８】
中段フレーム２ａの前部側に、スタートレバー２２と、第１〜第３回転リール３〜５に対応する３つのストップボタン２３〜２５が設けられている。スタートレバー２２を操作したとき、１〜３枚のメダルがベットされていれば、第１〜第３回転リール３〜５が回転を開始する。第１〜第３回転リール３〜５が回転しているときに、ストップボタン２３〜２５を操作すると対応する回転リール３〜５が停止する。３つのストップボタン２３〜２５全てが操作されると、第１〜第３回転リール３〜５の全てが停止して１回の遊技が終了する。
【００２９】
図２に示すように、第１〜第３回転リール３〜５の複数の遊技図柄のうち、表示窓１２から表示される遊技図柄を裏側から照明する複数（例えば、９個）のバックライト３１が配設され、鉛直姿勢のランプ基板３２に取付けられている。各バックライト３１は発光ダイオード等からなり、各回転リール３〜５の前部分の内側に、３つのバックライト３１が上下に並べて配置され、各回転リール３〜５に対応する３つのバックライト３１により、少なくとも変動停止時の３つの遊技図柄が照明されるようになっている。
【００３０】
図１に示すように、表示パネル１１の右上端部分には、セグメント型ＬＥＤ又はドット型ＬＥＤ又は液晶ディスプレイ（ＬＣＤ）からなる抽選結果表示手段３６が設けられ、この抽選結果表示手段３６には、後述の利益状態中抽選手段４７による抽選結果に関連する情報が表示されるようになっている。
【００３１】
次に、スロットマシン機１のＣＰＵとＲＯＭとＲＡＭ等（マイクロコンピュータ）を有する制御装置４０及びそこに予め格納されている制御プログラム等により達成される種々の機能について、図３の機能ブロック図を参照して説明する。この制御装置４０は、投入メダル枚数検出手段４１、抽選手段４２、許可信号発生手段４３、リール制御手段４４、停止図柄判定手段４５、利益状態発生手段４６、利益状態中抽選手段４７、抽選結果表示制御手段４８を備えている。
【００３２】
投入メダル枚数検出手段４１は、ゲーム開始に当たって投入される遊技媒体であるメダルの枚数を検出する。
【００３３】
抽選手段４２は、投入メダル枚数検出手段４１による１〜３枚のメダル投入の検出を条件に、ゲーム開始を指令するスタートレバー２２の操作タイミングに基づいて、有効化した入賞ライン１４〜１８上に、遊技図柄が予め設定された大当り態様つまり特定態様（「７７７」又は「３３３」）となる組合せで停止することを許可するか、或いは、小当り態様（「BAR BAR BAR 」）となる組合せで停止することを許可するか、或いは、小役態様となる組合せで停止することを許可するか、或いは、外れ態様となる組合せで停止することを許可するかを乱数抽選する。
【００３４】
このように、抽選手段４２は、メダルの投入を条件に遊技者の操作に応じて、遊技図柄が予め設定された特定態様となる組合せで停止することを許可するか否かを抽選するが、本実施形態の場合には、特定態様となる組合せで停止することを許可すると抽選されると、更に、特別特定態様となる組合せで停止することを許可するか、通常特定態様となる組合せで停止することを許可するかの何れか一方が抽選されるようにしてある。
【００３５】
抽選手段４２が、大当り態様（特定態様）となる組合せで停止することを許可する抽選確率と、小当り態様となる組合せで停止することを許可する抽選確率については、例えば図５にボーナス抽選確率表で示す通りであり、大当り（ＢＩＧ）の抽選確率と、小当り（ＲＥＧ）の抽選確率は、夫々、「設定」とメダルの投入枚数（１枚掛け、２枚掛け、３枚掛け）によって異なる確率になっている。
【００３６】
尚、「設定」は「１」〜「６」の６段階あり、このスロットマシン機１を設置する遊技ホール側が設定可能になっている。また、特定態様と抽選された場合、特別特定態様となる組合せで停止することを許可するか、通常特定態様となる組合せで停止することを許可するかを、例えば確率1/2 で抽選する場合には、特別特定態様の抽選確率と通常特定態様の抽選確率は、夫々、図５に示すＢＩＧの抽選確率を1/2 倍した確率となる。
【００３７】
許可信号発生手段４３は、抽選手段４２による抽選結果を受けて、大当り態様又は小当り態様又は小役態様又はリプレイ態様又は外れ態様の何れかに対応する許可信号を、リール制御手段４４に対して発生させる。
【００３８】
リール制御手段４４は、スタートレバー２２を介してＯＮされたスタートスイッチ２２ａからの回転指令信号を抽選手段４２を介して受け、リール駆動手段９を制御して第１〜第３回転リール３〜５を回転させ、ストップボタン２３〜２５を介してＯＮされたリール停止スイッチ２３ａ〜２５ａからの停止指令信号を受け、操作されたストップボタン２３〜２５に対応する回転リール３〜５の回転を停止させる。このとき、許可信号発生手段４３が発生した許可信号に基づいて、回転リール３〜５の回転が停止制御されて、リール停止時の図柄が停止許可された態様になることを可能にする。
【００３９】
停止図柄判定手段４５は、全ての回転リール３〜５が停止したときに、リール位置検出手段５１からのリール位置信号に基づいて、有効化した入賞ライン１４〜１８上に停止表示される遊技図柄の組合せが、大当り態様か、小当り態様か、小役態様か、リプレイ態様か、ハズレ態様かの何れになるかの判定を行う。そして、大当り態様と小当り態様と小役態様のときには、払出し装置５５の払出し手段５７を駆動し、メダルホッパー５６に貯留されているメダルから、その停止図柄の組合せにより予め設定されている枚数のメダルを払い出す。
【００４０】
利益状態発生手段４６は、有効化した入賞ライン１４〜１８上に遊技図柄「７」が３つ揃う大当り態様（特別特定態様）「７７７」、或いは、遊技図柄「３」が３つ揃う大当り態様（通常特定態様）「３３３」になった場合に利益状態であるビッグボーナスを発生させ、また、遊技図柄「ＢＡＲ」が３つ揃う小当り態様「BAR BAR BAR 」になった場合、ビッグボーナスよりも程度は低いが利益状態であるレギュラーボーナスを発生させる。
【００４１】
ここで、ビッグボーナスについて図４を参照して説明する。遊技図柄が大当り態様になってビッグボーナスが発生すると、特別ゲームを最大３０ゲーム実行可能となり、その間に所定条件（例えば、遊技図柄がリプレイ態様になる）が充足されることにより、特別ゲーム以外に別途ボーナスを最大３回行うことができる。各特別ゲームでは、小役態様になり易い状態となる。
【００４２】
前記所定条件が充足されてボーナスが発生すると、複数回のゲームに亙って遊技者に有利なボーナスゲームを最大所定の１２ゲーム実行可能となり、各ボーナスゲームでは、通常のゲームでは入賞態様とならない態様（リプレイ態様等）が特別小役態様になりメダルの払出しが得られる。ボーナスゲームが１２ゲーム消化されるか、又は、特別小役態様が成立したボーナスゲームが８ゲーム消化されると、このボーナスは終了する。
【００４３】
１回目又は２回目のボーナスが終了したとき、特別ゲームが３０ゲームに満たなければ、続いて特別ゲームを実行可能となるが、特別ゲームが３０ゲーム消化されるか、又は、ボーナスが３回消化されると、ビッグボーナスは終了する。尚、遊技図柄が小当り態様になりレギュラーボーナスが発生すると、前記ビッグボーナス中の１回のボーナスと同様のボーナスゲームが実行可能となる。
【００４４】
さて、利益状態中抽選手段４７は、前記ボーナスゲーム実行中の遊技状態を含むビッグボーナスの発生中において、１〜３枚のメダルを投入することを条件に、ゲーム開始を指令するスタートレバー２２の操作タイミングに基づいて、有効化した入賞ライン１４〜１８上に、そのビッグボーナスの終了以降に遊技図柄が特定態様となる組合せで停止することを許可するか否かを抽選する。
【００４５】
前記特定態様となる組合せで停止許可すると抽選されると、その抽選結果は何らかの記憶手段に記憶され、ビッグボーナスの終了以降に、許可信号発生手段４３がその抽選結果を受けて、大当り態様又は小当り態様に対応する許可信号をリール制御手段４４に対して発生させる。但し、利益状態中抽選手段４７は、遊技図柄が特定態様（「７７７」又は「３３３」）のうち特別特定態様（「７７７」）になってビッグボーナスが発生している時にのみ作動するようになっている。
【００４６】
利益状態中抽選手段４７が、大当り態様（特定態様）となる組合せで停止することを許可する抽選確率と、小当り態様となる組合せで停止することを許可する抽選確率については、例えば図６にボーナス中ボーナス抽選確率表で示す通りであり、大当り（ＢＩＧ）の抽選確率と、小当り（ＲＥＧ）の抽選確率は、夫々、「設定」とメダルの投入枚数（１枚掛け、２枚掛け、３枚掛け）によって異なる確率になっている。
【００４７】
また、前記抽選手段４２の場合と同様に、特定態様と抽選された場合、特別特定態様となる組合せで停止することを許可するか、通常特定態様となる組合せで停止することを許可するかを、例えば確率1/2 で抽選する場合には、特別特定態様の抽選確率と通常特定態様の抽選確率は、夫々、図６に示すＢＩＧの抽選確率を1/2 倍した確率となる。
【００４８】
さて、図５、図６から明らかなように、「設定」とメダル投入枚数が同じ場合、前記抽選手段４２が特定態様（及び小当り態様）となる組合せで停止することを許可する抽選確率と、利益状態中抽選手段４７が特定態様（及び小当り態様）となる組合せで停止することを許可する抽選確率とを異ならせてあり、詳細には利益状態中抽選手段４７による抽選確率を抽選手段４２による抽選確率よりも（例えば、10倍）高くしてある。
【００４９】
抽選結果表示制御手段４８は、利益状態中抽選手段４７により前記特定態様となる組合せで停止することを許可すると抽選された場合、抽選結果表示手段３６を表示制御して、その抽選結果を抽選結果表示手段３６に表示して遊技者に報知する。尚、抽選結果表示手段３６と抽選結果表示制御手段４８が利益状態中抽選結果報知手段に相当する。
【００５０】
次に、このスロットマシン機１の作用・効果について説明する。
スロットマシン機１の遊技開始にあたって、先ず、遊技媒体であるメダルを１〜３枚ベットする。このとき、メダルをメダル投入部１９から投入してベットするが、メダルのクレジットがある場合には、ベットボタン２０を操作してベットすることができる。
【００５１】
メダルがベットされた状態で、スタートレバー２２を操作すると第１〜第３回転リール３〜５が回転を開始し、制御装置４０において、抽選手段４２が、遊技図柄が大当り態様（特定態様）となる組合せで停止することを許可するか、或いは、小当り態様となる組合せで停止することを許可するか、或いは、小役態様となる組合せで停止することを許可するか、或いは、外れ態様となる組合せで停止することを許可するかを抽選し、許可信号発生手段４３が、その抽選結果に対応する許可信号をリール制御手段４４に対して発生させる。
【００５２】
この抽選手段４２による抽選により、遊技図柄が大当り態様（特定態様）となる組合せで停止することを許可されると、その許可信号をリール制御手段４４が受けて回転リール３〜５を制御し、遊技者がストップボタン２３〜２５を操作して、遊技図柄が特定態様となるように３組の回転リール３〜５を停止させることが可能となる。そして、遊技図柄が特定態様になった場合に、前述のビッグボーナスを発生させる。
【００５３】
ここで、遊技図柄が特別特定態様（「７７７」）になって、ビッグボーナスが発生した場合には、利益状態中抽選手段４７が作動し、ビッグボーナスの発生中において、そのビッグボーナスの終了以降に遊技図柄が特定態様となる組合せで停止することを許可するか否かを抽選する。この利益状態中抽選手段４７による抽選に関して、ビッグボーナスの終了以降に遊技図柄が特定態様となる組合せで停止することを許可すると抽選（当選）する当選回数については、１回に限らず複数回とすることが可能で且つストック可能にしてある。
【００５４】
つまり、許可信号発生手段４３が、ビッグボーナスの終了後に利益状態中抽選手段４７による抽選結果を受け、その当選回数が複数回ある場合には１回ずつ、また、その当選に大当り態様と小当り態様の両方が含まれている場合には、所定の順序（例えば、当選順序）で、それに対応する許可信号を利益状態発生手段４６に対して発生させ、ビッグボーナスやレギュラーボーナスを発生可能とする。尚、例えば、ビッグボーナスとレギュラーボーナスに優先順位を付け、ビッグボーナス中の当選順序に関係なく、ビッグボーナスを優先させる場合、本実施形態では、ビッグボーナスを１回行ってから、レギュラーボーナスを２回行うように構成することができる。
【００５５】
このように、このスロットマシン機１によれば、利益状態であるビッグボーナスの発生中において、そのビッグボーナスの終了以降に遊技図柄が前記特定態様となる組合せで停止することを許可するか否かを抽選する利益状態中抽選手段４７を設けたことにより、遊技性等の向上を図ることが可能となる。
【００５６】
また、利益状態中抽選手段４７により特定態様となる組合せで停止することを許可すると抽選された場合、その抽選結果を遊技者に報知する抽選結果表示手段３６と抽選結果表示制御手段４８からなる利益状態中抽選結果報知手段を設けたので、利益状態中抽選手段４７により前記特定態様となる組合せで停止することを許可すると抽選された結果を、遊技者に知らせることができる。
【００５７】
ここで、前記当選回数が複数回あり、また、その当選に大当り態様と小当り態様の両方が含まれている場合でも明確に表示できるように、例えば、図１に示すように、大当り態様の当選回数（１回）を「ＢＢ・・・１」で表示、小当り態様の当選回数（２回）を「ＲＢ・・・２」で表示するようにしてある。
【００５８】
次に、前記実施形態を部分的に変更した変更形態について説明する。
１〕利益状態中抽選手段４７は、ビッグボーナスの発生中において、ボーナスゲーム実行中にのみ作動するようにしてもよいし、特別ゲーム実行中にのみ作動するようにしてもよい。
２〕利益状態中抽選手段４７は、レギュラーボーナスの発生中において、ボーナスゲーム実行中に作動するようにしてもよい。
【００５９】
３〕利益状態中抽選手段４７により特定態様となる組合せで停止することを許可すると抽選された場合、その抽選結果を遊技者に報知する利益状態中抽選結果報知手段として、抽選結果表示手段３６と抽選結果表示制御手段４８で構成する以外に、特有のランプを点灯させて報知したり、特有効果音を発生させて報知する方法等のその他種々の報知態様を適用可能である。
４〕利益状態中抽選手段４７の抽選結果を遊技者に報知する報知タイミングについては、ビッグボーナスの終了後（レギュラーボーナス中に利益状態中抽選手段４７を作動させる場合には、レギュラーボーナス後）に行ってもよい。
【００６０】
５〕抽選手段４２が、大当り態様（特定態様）となる組合せで停止することを許可する抽選確率と、小当り態様となる組合せで停止することを許可する抽選確率について、また、利益状態中抽選手段４７が、大当り態様（特定態様）となる組合せで停止することを許可する抽選確率と、小当り態様となる組合せで停止することを許可する抽選確率については、図５、図６に示す抽選確率以外に種々の確率を採用可能である。
６〕場合によっては、抽選手段４２が特定態様となる組合せで停止することを許可する抽選確率よりも、利益状態中抽選手段４７が特定態様となる組合せで停止することを許可する抽選確率を低く設定することも可能である。
【００６１】
７〕利益状態中抽選手段４７により、利益状態の発生中において、その利益状態の終了以降に、遊技図柄が大当り態様となる組合せで停止することを許可する抽選確率を全て一定確率（例えば、1/50）にするようにしてもよいし、小当り態様となる組合せで停止することを許可する抽選確率も全て一定確率（例えば、1/100 ）にするようにしてもよい。
８〕その他、本発明の趣旨を逸脱しない範囲において、前記実施形態に種々変更を加えて実施することが可能であり、上記以外の種々のスロットマシン機に本発明を適用することが可能である。
【図面の簡単な説明】
【００６２】
【図１】本発明の実施形態に係るスロットマシン機の正面図である。
【図２】スロットマシン機の要部の縦断面図である。
【図３】スロットマシン機の機能ブロック図である。
【図４】ビッグボーナスの遊技内容を示す図である。
【図５】ボーナス抽選確率を示す図表である。
【図６】ボーナス中ボーナス抽選確率を示す図表である。
【符号の説明】
【００６３】
３〜５        回転リール
９            リール駆動手段
２２          スタートレバー
３６          抽選結果表示手段
４２          抽選手段
４６          利益状態発生手段
４７          利益状態中抽選手段
４８          抽選結果表示制御手段
【図１】
2004209281.tif 000003
【図２】
2004209281.tif 000004
【図３】
2004209281.tif 000005
【図４】
2004209281.tif 000006
【図５】
2004209281.tif 000007
【図６】
2004209281.tif 000008